(57)【要約】【課題】  テーブルタップやコンセントの狭い場所での配電による怪我防止、簡易固定されたテーブルタップやコンセントからの引き抜きを容易に行い、低コストで実現する電源プラグ装置を提供する。【解決手段】  電源プラグ１をプラグ受容体Ｂに接続する電源プラグ装置Ａにおいて、前記電源プラグ１が前記プラグ受容体Ｂに接続された状態において、この接続の解除時、前記電源プラグ１を一方向に傾けて引き抜く。【選択図】        図２
2006032176.tif 000002
【特許請求の範囲】
【請求項１】
電源プラグをプラグ受容体に接続する電源プラグ装置において、前記電源プラグが前記プラグ受容体に接続された状態において、この接続の解除時、前記電源プラグを一方向に傾けて引き抜くことを特徴とする電源プラグ装置。
【請求項２】
前記プラグ受容体の上カバーに貫通形成したプラグ差し込み口の一方の内壁に第１の面取り部分を設けたことを特徴とする請求項１記載の電源プラグ装置。
【請求項３】
前記上カバーのプラグ差し込み口の他方の内壁で前記第１の面取り部分と対向する内壁に第２の面取り部分を設けたことを特徴とする請求項１又は２記載の電源プラグ装置。
【請求項４】
前記プラグ受容体の下ケースの端子端部周辺に、前記電源プラグが傾いたとき、プラグ片に他部品が当たらないスペースを設けたことを特徴とする請求項１ないし３の何れか一項に記載の電源プラグ装置。
【請求項５】
前記第２の面取り部分を前記上カバーの裏面側から覆う第２の面取り部分被覆部材を備え、この第２の面取り部分被覆部材が前記第２の面取り部分を覆うために進退可能であることを特徴とする請求項１ないし４の何れか一項に記載の電源プラグ装置。
【請求項６】
前記プラグ受容体がコンセント、テーブルタップ等を含むことを特徴とする請求項１ないし５のいずれか一項記載の電源プラグ装置。
【発明の詳細な説明】
【技術分野】
【０００１】
本発明は、一般家庭や事務機などに用いられる電気器具の電源プラグを抜き差しするコンセントやテーブルタップに用いる特殊な装置や部品を使わずにコンセントやテーブルタップ等のプラグ受容体から電源プラグを引き抜く電源プラグ装置に関するものである。
【背景技術】
【０００２】
従来から、一般家庭や事務機などに用いられる電気器具の電源プラグを抜き差しするコンセントや、テーブルタップに用いるワンタッチ取り外し機能や、引き抜き補助具等は知られている（例えば、特許文献１ないし３参照）。
図７は従来の電源プラグ装置を示す概略図である。図７において、電源プラグのプラグ片１０はコンセントやテーブルタップの下ケースの端子７に挿入されている。
この場合に、一般的なテーブルタップやコンセントの端子７と電源プラグのプラグ片１０の差し込みにおいて電源プラグが容易に抜けることを防止するために端子７に凸部９、プラグ片１０に穴１１を設けて抜け防止としている。
【特許文献１】実開平０７−４２０２４号公報
【特許文献２】特開平０９−３２０６８９号公報
【特許文献３】特開２００１−１７９６５１公報
【発明の開示】
【発明が解決しようとする課題】
【０００３】
上述した電源プラグ装置においては、正しく端子７の凸部９、プラグ片１０の穴１１にセット（差し込まれた）された電源プラグは引き抜くときに強い力で引かなければ抜けない欠点があり、しっかり固定されたコンセントでは強い力で引き抜いたときに周辺の物に手をぶつけてしまう危険性がある。
また、テーブルタップにおいては簡易的にテープやマグネットで固定して使われる場合が多く、容易に引き抜けない欠点があった。さらに、電源プラグを容易に抜くためにテーブルタップやコンセント内部に装置や部品を配置するためコスト高となる欠点があった。
そこで、本発明の目的は、上述した実情を考慮して、テーブルタップやコンセントの狭い場所での配電による怪我防止、簡易固定されたテーブルタップやコンセントからの引き抜きを容易に行い、低コストで実現する電源プラグ装置を提供することにある。
【課題を解決するための手段】
【０００４】
上記の課題を解決するために、請求項１記載の発明は、電源プラグをプラグ受容体に接続する電源プラグ装置において、前記電源プラグが前記プラグ受容体に接続された状態において、この接続の解除時、前記電源プラグを一方向に傾けて引き抜くことを特徴とする。
請求項２の発明は、請求項１において、前記プラグ受容体の上カバーに貫通形成したプラグ差し込み口の一方の内壁に第１の面取り部分を設けたことを特徴とする。
請求項３の発明は、請求項１又は２において、前記上カバーのプラグ差し込み口の他方の内壁で前記第１の面取り部分と対向する内壁に第２の面取り部分を設けたことを特徴とする。
請求項４の発明は、請求項１、２又は３において、前記プラグ受容体の下ケースの端子端部周辺に、前記電源プラグが傾いたとき、プラグ片に他部品が当たらないスペースを設けたことを特徴とする。
請求項５の発明は、請求項１、２、３又は４において、前記第２の面取り部分を前記上カバーの裏面側から覆う第２の面取り部分被覆部材を備え、この第２の面取り部分被覆部材が前記第２の面取り部分を覆うために摺動可能であることを特徴とする。
また、請求項６記載の発明は、前記プラグ受容体がコンセント、テーブルタップ等を含む請求項１ないし５のいずれか一項記載の電源プラグ装置を特徴とする。
【発明の効果】
【０００５】
電源プラグを傾けることによってテコの原理によりコンセントやテーブルタップに押し付ける力でクリック感、音とともに端子の凸部とプラグ片の穴による保持を解くことができ、引きながらプラグを動かす動作で容易にプラグを引き抜くことができる。
【発明を実施するための最良の形態】
【０００６】
図１は本発明による電源プラグ装置の全体構成を示す概略図である。図１において、電源プラグ装置Ａは、テーブルタップやコンセント等のプラグ受容体Ｂの下ケース１２の上カバー５の表面側３に電源プラグ１がコンセントやテーブルタップＢに接続された状態において電源プラグ１を一方向（矢印２方向）に傾けた状態で示されている。
図２は上カバー表面側のプラグ差し込み口の稜線に設けた面取り部分を示す概略断面図である。図２において、上カバー５の表面側３には一対のプラグ差し込み口５ａが所定の間隔をおいて平行に配置されており、各プラグ差し込み口５ａの一方の稜線（内壁）には斜めに傾斜した第１の面取り部分４を設けている。
この第１の面取り部分４と対角の上カバー５の内部側５’のプラグ差し込み口５ａの他方の稜線（内壁）には傾斜面状の第２の面取り部分６を設けている。つまり、差し込み口５ａは、対向する両内壁に面取り部分４、６を夫々備え、各面取り部分４、６は対称形状になっている。
また、下ケース１２の端子７の端部周辺８には電源プラグ１が一方に傾いたとき、プラグ片１０に他部品等が当たらないスペースを確保している。
図３は第２の面取り部分を覆う面取り部分被覆部材を説明するプラグ受容体をコンセントとして示す概略図である。図３において、上カバー５には、第２の面取り部分６を覆う第２の面取り部分被覆部材１３が内面側に配置され、この第２の面取り部分被覆部材１３には上カバー５の表面側に突出するレバー１４が摺動可能に配置されている。面取り部分被覆部材１３はコ字状の部材であり、プラグ１が傾倒した際にプラグ片１０の先端が変位する方向に配置されることにより、上カバー５の内側から第２の面取り部分６を覆うことができるように構成されている。また、面取り部分被覆部材１３は、上カバー５の下面に沿って一対の差し込み口５間を進退自在に構成されている。
【０００７】
図４は第２の面取り部分を覆う部材が第２の面取り部分を開放している状態を示す概略図である。図３のプラグ片１０が傾いている状態では第２の面取り部分６は部材１３によって覆われていない。コ字状の面取り部分被覆部材１３は屈曲した両端部により各差し込み口５ａの面取り部分６を一括して開放したり覆うように構成されている。図４のように被覆部材１３が２つの差し込み口５ａの両面取り部分６を開放している状態では、プラグの抜き差しが自由となる。
図５は第２の面取り部分を覆う部材を説明するプラグ受容体をコンセントとして示す概略図である。図５において、プラグ片１０が傾いていない状態では第２の面取り部分被覆部材１３が第２の面取り部分６を覆っている。
図６は第２の面取り部分が面取り部分被覆部材によって覆われている状態を示す概略図である。図６において、第２の面取り部分６はレバー１４を操作して摺動させることによって第２の面取り部分被覆部材１３で覆われている。この場合は、プラグは不用意に脱落することが防止できる。
電源プラグ１を傾けることのできる空間へプラグ１を傾ける動作により端子７とプラグ片１０の圧着を解き、プラグ片１０が端子７に挟まれている摩擦力だけの抵抗で電源プラグ１を引き、この電源プラグ１を動かしながら抜く。この場合、電源プラグ１を傾ける方向は第１の面取り部分４の方向であって、且つテーブルタップやコンセントの中央方向とする。この時、プラグ片１０は被覆部材１３側へ傾く。
本発明によれば、プラグ片１０と端子７との係合を解くまでプラグ片１０を一方に傾けるために、上下ケース５、１２、端子７周辺において空間を得る。また、電源プラグ１を傾ける方向を示す表示をケースの表面に記載することで簡易固定などのテーブルタップにおいてテーブルタップのズレ、移動も防止できる。
面取り部分被覆部分１３のレバー１４の摺動によって第２の面取り部分６を覆うことでプラグ片１０が面取り部分被覆部材１３に当たり電源プラグ１は所定以上は傾かないために危険性なく、不慮の電源プラグ外れを防止できる。
【図面の簡単な説明】
【０００８】
【図１】本発明による電源プラグ装置の全体構成を示す概略図。
【図２】上カバー表面側のプラグ差し込み口の稜線に設けた面取り部分を示す概略断面図。
【図３】第２の面取り部分を覆う部材を説明するプラグ受容体をコンセントとして示す概略図。
【図４】第２の面取り部分を覆う部材が第２の面取り部分を開放している状態を示す概略図。
【図５】第２の面取り部分を覆う部材を説明するプラグ受容体をコンセントとして示す概略図。
【図６】第２の面取り部分が部材によって覆われている状態を示す概略図。
【図７】従来の電源プラグ装置を示す概略図。
【符号の説明】
【０００９】
Ａ  電源プラグ装置
Ｂ  プラグ受容体（コンセント、テーブルタップ）
１  電源プラグ
３  表面側（上ケースの）
４  第１の面取り部分
５  上ケース
６  第２の面取り部分
７  プラグ受容体の端子
１０  プラグ片
１２  下ケース
１３  第２の面取り部分被覆部材
１４  レバー
【図１】
2006032176.tif 000003
【図２】
2006032176.tif 000004
【図３】
2006032176.tif 000005
【図４】
2006032176.tif 000006
【図５】
2006032176.tif 000007
【図６】
2006032176.tif 000008
【図７】
2006032176.tif 000009